(57)【要約】【課題】容易に製造することができるとともに、材料コストを低減することができる装飾物を提供する。【解決手段】心棒１２の外周面に対し帯状の布地２２の側縁を接着剤２３を用いて螺旋状に巻回する。布地２２の前記接着剤２３と反対側の側縁を予め該布地２２の長手方向に沿って切断除去する。前記布地２２を構成する多数の糸１３を切断された側縁から解して放射糸群１４を形成する。【選択図】      図５
2006316377.tif 000002
【特許請求の範囲】
【請求項１】
帯状の布地の一側縁が解されて放射糸群となり、被装飾物の表面に前記帯状の布地の他側縁が接着されていることを特徴とする装飾物。
【請求項２】
請求項１において、前記帯状の布地は、多数の糸群を束ねた複合糸を緯糸及び縦糸として用いて平織りされたものであることを特徴とする装飾物。
【請求項３】
請求項１又は２において、前記帯状の布地の他側縁は、棒状の被装飾物の表面に螺旋状に巻回接着されていることを特徴とする装飾物。
【請求項４】
帯状の布地の一側縁を該布地の長手方向に沿って切断除去する行程と、
被装飾物の表面に前記布地の他側縁を接着する行程と、
前記布地の糸を切断された側縁から解して放射糸群を形成する行程と、
を含むことを特徴とする装飾物の製造方法。
【請求項５】
請求項４において、被装飾物の表面に前記布地の他側縁を接着する行程は、両面粘着テープにより行われるものであることを特徴とする装飾物の製造方法。
【発明の詳細な説明】
【技術分野】
【０００１】
本発明は、装飾物及びその製造方法に関する。
【背景技術】
【０００２】
棒状の被装飾物の表面に放射状の糸群を形成した装飾物として、従来、布地に多数本の毛や糸を埋め込んだり、接着したりした後に、前記布地を被装飾物の表面に接着したものが提案されている。
【発明の開示】
【発明が解決しようとする課題】
【０００３】
ところが、上記従来の放射状糸群を有する棒状の装飾物の製造方法は、布地に毛や糸を埋め込む作業が必要であるため、製造が非常に面倒であるという問題があった。又、布地に予め毛や糸を埋め込んだものを購入する場合には、材料コストが高くなるという問題もあつた。
【０００４】
本発明の目的は、容易に製造することができるとともに、材料コストを低減することができる装飾物及びその製造方法を提供することにある。
【課題を解決するための手段】
【０００５】
上記問題点を解決するために、請求項１に記載の発明は、帯状の布地の一側縁が解されて放射糸群となり、被装飾物の表面に前記帯状の布地の他側縁が接着されていることを要旨とする。
【０００６】
請求項２に記載の発明は、請求項１において、前記帯状の布地は、多数の糸群を束ねた複合糸を緯糸及び縦糸として用いて平織りされたものであることを要旨とする。
請求項３に記載の発明は、請求項１又は２において、前記帯状の布地の他側縁は、棒状の被装飾物の表面に螺旋状に巻回接着されていることを要旨とする。
【０００７】
請求項４に記載の発明は、帯状の布地の一側縁を該布地の長手方向に沿って切断除去する行程と、被装飾物の表面に前記布地の他側縁を接着する行程と、前記布地の糸を切断された側縁から解して放射糸群を形成する行程とを含むことを要旨とする。
【０００８】
請求項５に記載の発明は、請求項４において、被装飾物の表面に前記布地の他側縁を接着する行程は、両面粘着テープにより行われるものであることを要旨とする。
【発明の効果】
【０００９】
本発明によれば、帯状の布地の一側縁が解されて放射糸群となり、被装飾物の表面に前記帯状の布地の他側縁が接着されているので、布地の一側縁を切断して解す作業と、布地の他側縁を被装飾物の表面に接着する作業のみで、容易に装飾物を製造することができる。又、被装飾物に接着する材料として帯状の布地を用いるだけ済むため、材料コストを低減することができる。
【発明を実施するための最良の形態】
【００１０】
以下、本発明を具体化した装飾物及びその製造方法の一実施形態を図１〜図５に従って説明する。
図１に示す棒状の装飾物１１は、被装飾物としての心棒１２の表面に多数の糸１３を放射状に装着して放射糸群１４を形成したものである。心棒１２の下部には薄手の例えば絹等よりなる布地１５が螺旋状に接着されている。
【００１１】
次に、上記の装飾物１１の製造方法について説明する。
図２に示すように、複数本の綿や紙等の糸１３を扁平状に束ねた複合糸２１を縦糸及び緯糸として用いて平織りされた帯状の布地２２を用意する。複合糸２１の糸１３の本数は、例えば３〜１５本の中から選択される。この布地２２の一側縁を鋏により仮想切断線Ｌに沿って布地２２の長手方向に切断して除去する。この工程は、布地２２の製造工程に連続して行うようにしてもよい。前記布地２２の両側縁は切断しなければ、糸１３を解すことができないように織成されている。
【００１２】
次に、図３に示すように、布地２２の前記切断端縁２２ａと反対側の他側縁にボンド等の接着剤２３を塗布する。その後、図４に示すように、前記心棒１２の表面に前記布地２２を前記接着剤２３を用いて螺旋状に巻回しながら接着する。
【００１３】
最後に、前記布地２２の切断端縁２２ａから複合糸２１の複数の糸１３を図５に示すように解して放射糸群１４とする。図５は、糸１３が規則正しく解された状態であるが、実際には糸１３が不規則に解されて、図１に示す装飾物１１となる。この装飾物１１は、帯状の布地２２の一側縁が解されて放射糸群１４となり、心棒１２の表面に前記帯状の布地２２の他側縁が接着剤２３により接着された構成となっている。接着剤２３により接着された布地２２の他側縁は、複合糸２１の糸１３が解されることはないが、この布地２２の部分は、放射糸群１４によって覆われているので、装飾物１１には、放射糸群１４のみが表れることになる。
【００１４】
上記の装飾物１１は、例えば、花瓶やクリスマスツリー等に装着して使用することができる。
上記実施形態の装飾物及びその製造方法によれば、以下のような効果を得ることができる。
【００１５】
（１）上記実施形態では、帯状の布地２２の一側縁が解されて放射糸群１４となり、被装飾物としての心棒１２の表面に前記帯状の布地２２の他側縁が接着剤２３により接着されている。このため、布地２２の一側縁を切断して解す作業と、布地２２の他側縁を心棒１２の表面に接着する作業のみで、意匠性に富んだ趣のある装飾物１１を容易に製造することができる。又、心棒１２に接着する材料も帯状の布地２２のみで済むため、材料コストを低減することができる。
【００１６】
（２）上記実施形態では、糸１３が複数本の糸を束ねた複合糸により形成されているので、糸１３を解して放射糸群１４を容易に形成することができる。
なお、上記実施形態は以下のように変更してもよい。
【００１７】
○図６に示すように、瓶の上部の外周表面に布地２２を接着して放射糸群１４を形成して装飾物としての瓶３１を形成してもよい。
○図７に示すように、心棒１２の表面に布地２２を複数回円環状に巻回して、各布地２２毎に放射糸群１４を形成して装飾物としての装飾棒を形成してもよい。
【００１８】
○図示しないが、前記接着剤２３に代えて、両面粘着テープの粘着剤層を接着してもよい。この場合には、粘着剤層の表面に剥離シートが剥離可能に接着されているので、布地２２を被装飾物に接着する際に、剥離シートを剥離する。
【００１９】
○図示しないが、布地２２の材料として、各種の合成繊維、羊毛或いはその他の材料を用いてもよい。又、不織布や編物、三次元織物を用いてもよい。
○布地２２の複合糸２１の糸１３を解す工程は、布地２２を被装飾物に接着する前に行ってもよい。
【００２０】
○被装飾物として、例えば、物品を支持する支柱、机、椅子、テーブル、額縁、時計、電気スタンド、或いはその他の各種の被装飾物を用いてもよい。
【図面の簡単な説明】
【００２１】
【図１】この発明の装飾物の一実施形態を示す正面図。
【図２】帯状の布地の斜視図。
【図３】装飾物の製造工程を説明する帯状の布地の平面図。
【図４】装飾物の製造工程を説明する心棒と帯状の布地の正面図。
【図５】装飾物の製造工程を説明する心棒と帯状の布地の正面図。
【図６】この発明の装飾物の別例を示す正面図。
【図７】この発明の装飾物の別例を示す正面図。
【符号の説明】
【００２２】
１１…装飾物、１３…糸、１４…放射糸群、１５，２２…布地、２１…複合糸。
【図１】
2006316377.tif 000003
【図２】
2006316377.tif 000004
【図３】
2006316377.tif 000005
【図４】
2006316377.tif 000006
【図５】
2006316377.tif 000007
【図６】
2006316377.tif 000008
【図７】
2006316377.tif 000009